(57)【要約】【課題】  処分を依頼されたパソコンのシリアルナンバーと、該パソコンに搭載されたハードディスクとをセットで管理し、処分を依頼した企業等が、処分を依頼したパソコンに搭載されたハードディスク内のデータが完全に消去されたか、又は、該ハードディスクが物理的に破壊されたかを確認することができるような処分パソコン管理システムを得る。【解決手段】  処分パソコン管理システムの処分パソコン管理サーバは、処分パソコンのシリアルナンバーと該パソコンに搭載されているハードディスクのシリアルナンバーとを検出してから関連付けし、処分パソコンの整理番号と該パソコンのシリアルナンバーと該パソコンに搭載されているハードディスクのシリアルナンバーとを関連付けした後は処分パソコンデータデータベースへの処分パソコン基本情報生成手段からの入力がロックされるロック手段とを備えるように構成する。【選択図】        図１
2018180836.tif 000002
【特許請求の範囲】
【請求項１】
パソコン処分管理者が使用する管理者端末と、
パソコン処分依頼者情報を蓄積する依頼者データベースと
処分パソコン情報を蓄積する処分パソコンデータベースと
処分パソコン管理サーバと
ハードディスクデータ消去手段と
からなり、
前記処分パソコン管理サーバは、
前記依頼者データベースに記録された依頼者情報を照会する依頼者情報照会手段と、処分パソコンの整理番号を生成する整理番号生成手段と、処分パソコンからパソコンのシリアルナンバーと該パソコンに搭載されているハードディスクのシリアルナンバーとを検出する検出手段と、
前記依頼者情報と前記処分パソコンの整理番号と該パソコンのシリアルナンバーと該パソコンに搭載されているハードディスクのシリアルナンバーとから処分パソコン基本情報を生成する処分パソコン基本情報生成手段と、
を備え、
前記処分パソコン基本情報生成手段は、
前記処分パソコンの整理番号と、該パソコンのシリアルナンバーと該パソコンに搭載されているハードディスクのシリアルナンバーとを関連付ける関連付け手段と、
前記処分パソコンの整理番号と該パソコンのシリアルナンバーと該パソコンに搭載されているハードディスクのシリアルナンバーとを関連付けした後は、前記処分パソコン基本情報生成手段からの前記処分パソコンデータデータベースへの入力がロックされるロック手段と
を備えることを特徴とする処分パソコン管理システム。
【請求項２】
請求項１に記載の処分パソコン管理システムにおいて、
前記処分パソコン管理サーバは、
処分パソコン基本情報が生成された該パソコンのハードディスクに対し、前記ハードディスクデータ消去手段による消去状態を確認する確認手段と、
ハードディスクデータの消去結果を表示する表示手段と、
を備えることを特徴とする処分パソコン管理システム。
【請求項３】
請求項２に記載の処分パソコン管理システムにおいて、
前記管理サーバは、
ハードディスクデータの消去結果が消去不可である場合に、ハードディスクの物理的破壊の前後の画像を表示するハードディスク画像管理手段を備え、
前記画像管理手段は
画像を入力する入力手段と、
画像入力時間を記録する記録手段と、
を備えることを特徴とする処分パソコン管理システム。
【請求項４】
請求項１乃至請求項３のいずれか１項に記載の処分パソコン管理システムにおいて、
処分パソコン管理システムはインターネットを通じて処分依頼者の依頼者端末と接続され、
処分依頼者の依頼者端末が、インターネットを通じて処分パソコンデータベースに記録された処分パソコンのデータにアクセスすることができることを特徴とする処分パソコン管理システム。
【発明の詳細な説明】
【技術分野】
【０００１】
本発明は、処分を依頼されたパソコン、ハードディスクに記憶されたデータの消去を保証するために、ハードディスク内のデータ消去状況並びにデータの消去できないハードディスクについては物理的に破壊する際の、データ消去、ハードディスク処分情報を管理する処分パソコンデータ管理システムに関する。
【背景技術】
【０００２】
企業で使用したパソコンを処分する場合、顧客情報や技術情報等の営業秘密情報を完全に消去する必要がある。一般に、「データを消去する」という場合、データを「ごみ箱」に捨て、「削除」操作を行うか、又は、「ごみ箱を空にする」コマンドを使ってデータを消去する。さらには初期化（フォーマット）用のソフトウェアを使用する、パソコン付属のリカバリーＣＤを使い、工場出荷状態に戻す、などの作業を行って、パソコン使用前のデータ未入力状態に戻すことにより、データを消去する。
【０００３】
しかし、そのような操作を行っても、ハードディスク内に記録されたデータのファイル管理情報が変更されるだけで、実際はデータが見えなくなっているだけの場合がある。これらのデータは、一見データが消去されたように見えても、当該パソコンに搭載されていたＯＳのもとで、それらのデータを呼び出す処理ができなくなっただけで、本来のデータは残っているという状態にある。したがって、特殊なデータ回復のためのソフトウェアを利用すれば、これらのデータを読みとることが可能な場合があり、復元が可能である。そのような場合、ハードディスク内のデータ流出を完全に防止しようと思えば、ＨＤを物理的に破壊して、使用不能な状態にしなければならない。 
【０００４】
通常、パソコンを使用した企業等が、自ら処分を行うことは困難なので、処分業者に依頼することになる。しかし、処分を依頼されたパソコンについては、ハードディスク内のすべてのデータを消去した上で中古パソコンとしてリサイクルしたり、パソコン本体が汚損、破損等でリサイクルに耐えなくてもハードディスクのみを中古として販売したりする市場があり、処分業者がそこからの収入を見込んで処分料金を設定して価格競争せざるをえない経営事情も存在する。また、処分を依頼されたすべてのパソコンのハードディスクを物理的に破壊するためには、すべてのパソコンからハードディスクを取り出す必要があり、パソコンの規格は多種多様であることから、マンパワーを割かざるを得ず、そこにコストが発生する。さらに、ハードディスクを物理的に破壊した後も産業廃棄物としての適正な処理が必要であり、そこにもコストが発生することになる。そこで、ハードディスク内のデータ消去が不完全なままで、中古市場に流通する可能性もある。
【０００５】
一方で、パソコンの処分を依頼した企業等では、処分業者から交付されたデータ消去証明書又はパソコン処分証明書のみをもって、データ漏洩の可能性がなくなったことを確認することになるが、実際に処分の状況を確認することはできず、証明書が発行されていても、ハードディスクのデータの消去が十分でないパソコンや、ハードディスク本体が流通してしまう可能性もある。そのようにして営業秘密が流出すれば、信用上、ビジネス上の深刻な打撃を被ることになる。
【０００６】
このような問題を解決するために、クライアントが管理する１以上の情報機器のデータの消去を管理する管理方法であって、情報機器を識別する機器識別情報を含むリストを取得するステップと、リストに含まれる情報機器のデータ消去の指示を受け付けるステップと、データ消去の指示を受け付けたことに応じて、リストを識別するリスト識別情報を含み、リストに含まれる情報機器のデータ消去が指示されたことを示す指示情報を業者に通知するステップと、 取得したリストに対応し、当該リストに含まれている情報機器のデータを消去するまでのステータスを管理するステップと、リスト識別情報と、当該リストに対応するステータスとを関連付けてクライアント端末の表示部に表示させるステップと、 を備える管理方法が知られている（特許文献１）。
【先行技術文献】
【特許文献】
【０００７】
【特許文献１】特開２０１６−１５１７７６号公報
【発明の概要】
【発明が解決しようとする課題】
【０００８】
しかし、企業等は、処分を依頼したパソコン自体のシリアルナンバーは管理していても、パソコンに搭載されたハードディスクのシリアルナンバーとセットで管理している場合は少なく、処分パソコンの状態によっては、ハードディスクだけが中古市場に流通してしまう場合もあるが、そのような場合に、ハードディスク内のデータが確実に消去されているか、又はハードディスクが物理的に破壊されているかどうかを確認することができなくなってしまうおそれがあった。
【０００９】
本発明はこのような事情に鑑みてなされたものであり、処分を依頼されたパソコンのシリアルナンバーと、該パソコンに搭載されたハードディスクとをセットで管理し、処分を依頼した企業等が、処分を依頼したパソコンに搭載されたハードディスク内のデータが完全に消去されたか、又は、該ハードディスクが物理的に破壊されたかを確認することができるような処分パソコン管理システムを提供することを目的とする。
【課題を解決するための手段】
【００１０】
このような目的に応えるために本発明に係る処分パソコン管理システムは、パソコン処分    管理者が使用する管理者端末と、パソコン処分依頼者情報を蓄積する依頼者データベースと処分パソコン情報を蓄積する処分パソコンデータベースと処分パソコン管理サーバとハードディスクデータ消去手段とからなり、処分パソコン管理サーバは、依頼者データベースに記録された依頼者情報を照会する依頼者情報照会手段と、処分パソコンの整理番号を生成する整理番号生成手段と、処分パソコンからパソコンのシリアルナンバーと該パソコンに搭載されているハードディスクのシリアルナンバーとを検出する検出手段と、依頼者情報と前記処分パソコンの整理番号と該パソコンのシリアルナンバーと該パソコンに搭載されているハードディスクのシリアルナンバーとから処分パソコン基本情報を生成する処分パソコン基本情報生成手段と、を備え、処分パソコン基本情報生成手段は、前記処分パソコンの整理番号と、該パソコンのシリアルナンバーと該パソコンに搭載されているハードディスクのシリアルナンバーとを関連付ける関連付け手段と、前記処分パソコンの整理番号と該パソコンのシリアルナンバーと該パソコンに搭載されているハードディスクのシリアルナンバーとを関連付けした後は、処分パソコン基本情報生成手段からの処分パソコンデータデータベースへの入力がロックされるロック手段とを備えることを特徴とする。
【００１１】
このように構成することにより、一度生成された処分パソコン基本情報において関連付けされた処分パソコンの整理番号と該パソコンのシリアルナンバーと該パソコンに搭載されたハードディスクのシリアルナンバーとを変更することができなくなり、データの消去が行われるのが、間違いなく処分を依頼されたパソコンに搭載されたハードディスクであることを確認することができる。
【００１２】
また、本発明に係る処分パソコン管理システムにおいて、処分パソコン管理サーバは、処分パソコン基本情報が生成された処分パソコンのハードディスクに対し、前記ハードディスクデータ消去手段による消去作業を確認する確認手段と、ハードディスクデータの消去結果を表示する表示手段と、を備える。
【００１３】
このように構成することにより、処分を依頼されたパソコンに搭載されたハードディスク内のデータの消去ができたか否かを確認することができるという利点がある。
【００１４】
さらに、本発明に係る処分パソコン管理システムにおいて、管理サーバは、ハードディスクデータの消去結果が消去不可である場合に、ハードディスクの物理的破壊の前後の画像を表示するハードディスク画像管理手段を備え、画像管理手段は画像を入力する入力手段と、画像入力時間を記録する記録手段と、を備える。
【００１５】
このような構成によれば、ハードディスクデータ消去手段によってはハードディスク内のデータ消去を完了できなかった場合に、該ハードディスクを物理的に破壊するステップに進む際に、該ハードディスクに貼付されたシリアルナンバーが確認できるように該ハードディスクを撮影し、その画像を処分パソコン基本情報にその画像の入力時間とともに関連付けを行い、該ハードディスクを物理的に破壊するステップの終了後に、該ハードディスクに貼付されたシリアルナンバーが確認できるように該ハードディスクを撮影し、その画像を処分パソコン基本情報にその画像の入力時間とともに関連付けを行うことにより、処分を依頼されたパソコンに搭載されたハードディスクの物理的破壊ステップをシステム上で確認することができるという利点がある。
【００１６】
そして、本発明に係る処分パソコン管理システムにおいて、処分パソコン管理システムは通信ネットワークを通じて処分依頼者の依頼者端末と接続され、処分依頼者の依頼者端末が、通信ネットワークを通じて処分パソコンデータベースに記録された処分パソコンのデータにアクセスすることができる。
【００１７】
このような構成によれば、処分依頼者は自らの処分依頼したパソコンの処分状況を、処分業者からの報告を待たずに把握することができ、また、処分依頼者が過去に処分を依頼したパソコンの処分記録も、自ら保存することなく確認することができるという利点がある。
【発明の効果】
【００１８】
以上説明したように本発明に係る処分パソコンデータ管理システムによれば、パソコンの処分を依頼する際に、パソコンのシリアルナンバーと該パソコンに搭載されたハードディスクのシリアルナンバーをあらかじめ確認しておく必要なく、ハードディスクのデータ消去状況を確認することができ、処分を依頼したパソコンに搭載されていたハードディスクがデータ消去できたかどうかの確認、そして消去できなかった場合には物理的に破壊されていたかどうかの確認を行うことができる上に、処分業者から処分証明書を受け取ることによってのみ確認するのでなく、通信ネットワークを通じて、作業状況、及び作業の終了を確認することができるという優れた効果がある。
【図面の簡単な説明】
【００１９】
【図１】本発明に係る処分パソコンデータ管理システム全体のフロー図である。
【図２】図１におけるシステム全体の概念図である。
【図３】図１におけるシステム全体のブロック図である。
【図４】処分依頼者情報生成のフロー図である。
【図５】図４における処分業者側システムのブロック図である。
【図６】図４において処分業者端末に表示される画面図である。
【図７】図４において処分業者端末に表示される画面図である。
【図８】処分依頼者がパスワードを変更する際のフロー図である。
【図９】図８において処分依頼者端末に表示される画面図である。
【図１０】処分依頼者データベースの内容を例示する図である。
【図１１】処分業者が新規に処分パソコンのデータを消去する際のフロー図である。
【図１２】図１１における処分業者側システムのブロック図である。
【図１３】図１１において処分業者端末に表示される画面図である。
【図１４】図１１における処分業者側システムの追加ブロック図である。
【図１５】図１１において処分業者端末に表示される追加画面図である。
【図１６】処分業者が処分パソコンのハードディスクデータが消去できない際のフロー図である。
【図１７】図１６における処分業者側システムのブロック図である。
【図１８】図１６において処分業者端末に表示される画面図である。
【図１９】図１６において処分業者端末に表示される追加画面図である。
【図２０】処分パソコンデータベースの内容を例示する図である。
【図２１】処分依頼者の処分状況確認のフロー図である。
【図２２】図２１におけるブロック図である。
【図２３】図２１において処分依頼者端末に表示される画面図である。
【図２４】図１６において処分依頼者端末に表示される追加画面図である。
【発明を実施するための形態】
【００２０】
本発明は以上のような構成であるので、これを図面に基づきながら本発明の実施の形態を説明する。
【００２１】
図面は本発明に係る処分パソコンデータ管理システムの実施の形態の一を示す。
図１において、本発明に係る処分パソコンデータ管理システムにおけるパソコン処分の流れを示している。
【００２２】
図２に示すように、本発明に係る処分パソコンデータ管理システムは、処分業者側システム１と、通信ネットワーク４１と、依頼者端末４２とから構成され、処分業者側システム１は、管理サーバ１０と、ハードディスク（以下「ＨＤ」とする。）データ消去手段２０と、依頼者データベース（以下「ＤＢ」とする。）３０と、処分パソコン（以下「ＰＣ 」とする。）ＤＢ３１と、処分業者端末４０とからなる。
【００２３】
図３は、本発明に係る処分パソコンデータ管理システムのブロック図である。処分業者側システム１の管理サーバ１０は、依頼者情報生成手段１１、依頼者情報照会手段１２、処分ＰＣ情報検出手段１３、処分ＰＣ基本情報生成手段１４、処分ＰＣ情報入力管理手段１５、ＨＤデータ消去状況管理手段１６、ＨＤ画像管理手段１７、証明書情報生成手段１８を備え、処分される処分ＰＣ２１は、ＨＤデータ消去手段２０に接続することによって管理サーバ１０にも接続される。
【００２４】
図４乃至図７において、処分依頼者を登録する流れを示している。処分業者がＰＣ処分を依頼されると、まず管理者端末４０から管理サーバ１０にアクセスし、図６（ａ）に示すように管理者端末メニュー画面２００が表示される。図６（ｂ）に示すように依頼者情報作成・更新チェックボックス２０１にチェックを入れて「次へ」ボタン２０３をクリックすると、依頼者情報生成手段１１にアクセスする（ステップＳ００１〜Ｓ００２）。図６（ｃ）画面が表示されたら依頼者情報作成チェックボックス２０４にチェックを入れて「次へ」ボタン２０３をクリックすると、依頼者ＩＤ生成手段１１０にアクセスする（ステップＳ００３）。
【００２５】
図７（ａ）に示すように新規依頼者情報入力画面２１０が表示されたら、図７（ｂ）に示すように新規依頼者情報入力エリア２１１に依頼者情報を入力し「次へ」ボタン２１２をクリックすると、依頼者ＩＤ生成手段１１０により依頼者ＩＤが生成されて図７（ｃ）に示すように新規依頼者ＩＤ表示エリア２１３に表示され、続いて依頼者パスワード生成手段１１１により依頼者パスワードが生成されて図７（ｄ）に示すように新規依頼者パスワード表示エリア２１４に表示される（ステップＳ００４〜Ｓ００６）。「保存」ボタン２１５をクリックすると、依頼者ＩＤ・依頼者パスワード関連付け手段１１３により関連付けされて、管理者端末４０にダウンロードされる（ステップＳ００７〜Ｓ００８）ので、処分業者は依頼者に、依頼者ＩＤ・依頼者パスワードを送付する（ステップＳ００９）。
【００２６】
図８乃至図１０において、処分依頼者が登録情報を変更する流れを示している。依頼者端末４２から管理サーバ１０にアクセスすると、図９（ａ）に示すように依頼者情報更新画面２２０が表示される。図９（ｂ）に示すように依頼者情報更新チェックボックス２２１にチェックを入れて「次へ」ボタン２２３をクリックし、図９（ｃ）に示す依頼者ＩＤ入力エリア２２４にＩＤを、依頼者パスワード入力エリア２２５にパスワードを入力して「次へ」ボタン２２３をクリックして、図９（ｄ）に示す依頼者情報表示・入力エリア２２６が表示されたら、更新したい情報を入力して「保存」ボタン２２７をクリックすると依頼者情報が更新される（ステップＳ０１０〜Ｓ０２２）。このステップを経て、図１０に示すように、依頼者ＤＢ３０の内容が登録され、更新される。
【００２７】
図１１乃至図１５において、処分ＰＣ２１を登録し、ＨＤデータを消去する流れを示している。処分業者がＰＣ処分を依頼され、まず管理者端末４０から処分ＰＣ基本情報生成手段１４にアクセスすると図１３（ａ）に示すように処分ＰＣ登録画面２３０が表示されるので、処分ＰＣ接続確認エリア２３１に依頼者ＩＤを入力する（ステップＳ０３０〜Ｓ０３３）。このとき処分ＰＣ接続確認エリア２３１において、ＰＣ接続「なし」と表示されている。ＨＤデータ消去手段２０に処分ＰＣ２１を接続すると、処分ＰＣ情報検出手段１３が処分ＰＣ２１を検出し、図１３（ｂ）に示すように処分ＰＣ接続確認エリア２３１において、ＰＣ接続「あり」と表示される。すると、処分ＰＣ基本情報生成手段１４により、処分ＰＣ受付番号・受付時間表示エリア２３２に処分ＰＣの受付番号が生成され受付時間が記録され、依頼者ＩＤと処分ＰＣ受付番号が関連付けされる（ステップＳ０３４〜Ｓ０３５）。さらに、処分ＰＣ情報検出手段１３が処分ＰＣ２１のＰＣのシリアルナンバー（以下「Ｓ／Ｎ」とする。）と、処分ＰＣ２１に搭載されたＨＤのＳ／Ｎを検出し、図１３（ｃ）に示すように処分ＰＣ・Ｓ／Ｎ表示エリア２３３と処分ＰＣ搭載ＨＤ・Ｓ／Ｎ表示エリア２３４に、それぞれのＳ／Ｎが表示される。処分ＰＣ情報入力管理手段１５において「処分ＰＣＳ／Ｎ・ＨＤＳ／Ｎ」関連付け手段１５０がそれぞれを関連付けしロック手段１５１によって関連付けされたデータが変更できないようにロックされる（ステップＳ０３６〜Ｓ０４２）。
【００２８】
処分ＰＣのＳ／ＮとＨＤのＳ／Ｎが関連付けられロックされたら、ＨＤデータ消去状況管理手段１６によって処分ＰＣ２１に搭載されたＨＤのデータの消去が開始され、図１３（ｃ）に示すように、消去開始日時表示エリア２３５の消去開始日時が記録される。データ消去状態はＨＤデータ消去状態確認手段１６０によってモニターされ、消去作業が終了すると、図１３（ｄ）に示すように、消去終了日時表示エリア２３６に消去終了日時が表示され、消去結果が消去結果表示エリア２３７に表示され、「保存」ボタン２３８をクリックすると、消去状態が保存され、証明書情報生成手段１８により証明書情報が生成される（ステップＳ０４３〜Ｓ０４４）。図１５（ａ）に示すように処分ＰＣデータ消去確認画面２４０が表示されたら、消去結果表示エリア２３７において消去完了を確認し、「証明書発行」ボタン２４１又は  「証明書発行せず」ボタン２４２を選択してクリックし、図１５（ｂ）の画面が表示されたら  「終了」ボタン２４３をクリックして処分ＰＣのＨＤデータ消去作業を終了する。
【００２９】
図１１及び図１６乃至図２０において、ＨＤデータを消去できなかった場合に、ＨＤを物理的に破壊し、その記録を処分ＰＣデータに登録する流れを示している。まず、図１６（ａ）に示すように、処分ＰＣのＨＤデータ消去作業を終了した際（ステップＳ０４３）において、データ消去が完了できなかった場合、消去結果表示エリア２３７において「未完」と表示され、ＨＤ画像管理手段１７により、処分ＨＤ画像入力領域が生成される（ステップＳ０４６）。ＨＤデータ消去手段２０に接続されていた処分ＰＣ２１を取り外し、処分ＰＣ２１からＨＤを取り出して、物理的に破壊する前の状態をＳ／Ｎが確認できるように撮影する。  処分業者端末から管理サーバ１０にアクセスし、図１８（ａ）に示すように管理者端末メニュー画面２００が表示されたら、図１８（ｂ）に示すように処分ＰＣ情報作成・確認チェックボックス２０２にチェックを入れて「次へ」ボタン２０３をクリックすると、図１８（ｃ）に示すように処分ＰＣ作成・確認画面２４０が表示され、処分ＰＣ受付番号入力エリア２４１に処分ＰＣ受付番号を入力すると、図１８（ｄ）に示すように処分ＰＣの情報が表示される。消去結果表示エリア２４２に消去結果が未完と表示されているのを確認し、「次へ」ボタン２４３をクリックすると、図１８（ａ）に示すように処分ＰＣ登録画面２５０が表示される（ステップＳ０５０〜Ｓ０５２）。
【００３０】
「ＨＤ破壊前画像アップロード」ボタン２５１をクリックし、管理者端末４０に取りこんでおいたＨＤ物理的破壊前画像をアップロードすると、画像入力手段１７０により入力されたＨＤ破壊前画像表示画面２５２に画像が表示され、画像入力時間記録手段１７１により入力時間が記録されてＨＤ破壊前画像アップロード日時表示エリア２５３にアップロード日時が表示される。そして、ＨＤを物理的に破壊し、破壊後の状態をＳ／Ｎが確認できるように撮影して、管理者端末４０に取りこんでから、図１９（ｂ）に示すように「ＨＤ破壊後画像アップロード」ボタン２５４をクリックし、画像をアップロードすると、ＨＤ破壊後画像表示画面２５５に画像入力手段１７０により入力された画像が表示され、画像入力時間記録手段１７１により入力時間が記録されてＨＤ破壊後画像アップロード日時表示エリア２５６にアップロード日時が表示される。すると、証明書情報生成手段１８により証明書情報が生成される。図１９（ｃ）において「証明書発行」ボタン２５７又は  「証明書発行せず」ボタン２５８を選択してクリックし、図１９（ｄ）の画面が表示されたら  「保存」ボタン２５９をクリックして処分ＰＣのＨＤ物理的破壊作業及び破壊データ登録作業を終了する（ステップＳ５０〜Ｓ０５９）。あるいは図１６（ｂ）に示すように、ＨＤの物理的破壊前後の状態を撮影してからＨＤ物理的破壊データを登録してもよい。このステップを経て、図２０に示すように、処分ＰＣＤＢ３１の内容が登録され、更新される。
【００３１】
図２１乃至図２４において、処分依頼者が処分ＰＣ２１の状態を確認する流れを示している。ＰＣ処分依頼者は、依頼者端末４２から通信ネットワーク４１を通じて処分業者側システム１の管理サーバ１０にアクセスすると、図２３（ａ）に示すように依頼者情報更新画面２２０が表示される。図２３（ｂ）に示すように処分ＰＣ情報確認チェックボックス２２２にチェックをいれて  「次へ」ボタン２２３をクリックすると、依頼者情報照会手段１２により図２３（ｃ）に示すように処分ＰＣ情報確認画面２６０が表示される。そこで、依頼者ＩＤ入力エリア２６１と依頼者パスワード入力エリア２６２に、それぞれ依頼者ＩＤと依頼者パスワードを入力して  「次へ」ボタン２６３をクリックし、図２３（ｄ）に示す処分ＰＣ選択エリア２６４の確認したいＰＣを選んでチェックを入れ、「次へ」ボタン２６３をクリックすると、ＨＤデータ消去手段２０でデータが消去できたＰＣの場合、図２４（ａ）に示すように、処分ＰＣ作成・確認画面２４０が表示される。ＨＤデータ消去手段２０でデータが消去できなかったＰＣの場合、図２４（ｃ）に示すように、処分ＰＣ・ＨＤ破壊結果確認画面２７０が表示される。それぞれの場合において、図２４（ａ）又は（ｃ）に示す画面で証明書を発行するか否かを選択し、図２４（ｂ）又は（ｄ）に示す画面で終了する。  
【００３２】
なお、本考案は上述した実施の形態で説明した構造には限定されず、各部の構成等を適宜変更し得ることはいうまでもない。
【符号の説明】
【００３３】
１    処分業者側システム
１０  管理サーバ
１１  依頼者情報生成手段
１２  依頼者情報照会手段
１３  処分ＰＣ情報検出手段
１４  処分ＰＣ基本情報生成手段
１５  処分ＰＣ情報入力管理手段
１６  ＨＤデータ消去状況管理手段
１７  ＨＤ画像管理手段
１８  証明書情報生成手段
２０  ＨＤデータ消去手段
２１  処分ＰＣ
３０  依頼者ＤＢ
３１  処分ＰＣ ＤＢ
４０  処分業者端末
４１  通信ネットワーク
４２  依頼者端末
１１０  依頼者ＩＤ生成手段
１１１  依頼者パスワード生成手段
１１２  依頼者パスワード更新手段
１１３  依頼者ＩＤ・依頼者パスワード関連付け手段
１５０  処分ＰＣ Ｓ／Ｎ・ＨＤ  Ｓ／Ｎ関連付け手段
１５１  ロック手段
１６０  ＨＤデータ消去状態確認手段
１６１  ＨＤデータ消去状態表示手段
１７０  画像入力手段
１７１  画像入力時間記録手段
２００  管理者端末メニュー画面
２０１  依頼者情報作成・更新チェックボックス
２０２  処分ＰＣ情報作成・確認チェックボックス
２０３  「次へ」ボタン
２０４  依頼者情報作成チェックボックス
２１０  新規依頼者情報入力画面
２１１  新規依頼者情報入力エリア
２１２  「次へ」ボタン
２１３  新規依頼者ＩＤ表示エリア
２１４  新規依頼者パスワード表示エリア
２１５  「保存」ボタン
２２０  依頼者情報更新画面
２２１  依頼者情報更新チェックボックス
２２２  処分ＰＣ情報確認チェックボックス
２２３  「次へ」ボタン
２２４  依頼者ＩＤ入力エリア
２２５  依頼者パスワード入力エリア
２２６  依頼者情報表示・入力エリア
２２７  「保存」ボタン
２３０  処分ＰＣ登録画面
２３１  処分ＰＣ接続確認エリア
２３２  処分ＰＣ受付番号・受付時間表示エリア
２３３  処分ＰＣ・Ｓ／Ｎ表示エリア
２３４  処分ＰＣ搭載ＨＤ・Ｓ／Ｎ表示エリア
２３５  消去開始日時表示エリア
２３６  消去終了日時表示エリア
２３７  消去結果表示エリア
２３８  「保存」ボタン
２４０  処分ＰＣ作成・確認画面
２４１  処分ＰＣ受付番号入力エリア
２４２  消去結果表示エリア
２４３  「次へ」ボタン
２５０  処分ＰＣ登録画面
２５１  「ＨＤ破壊前画像アップロード」ボタン
２５２  ＨＤ破壊前画像表示画面
２５３  ＨＤ破壊前画像アップロード日時表示エリア
２５４  「ＨＤ破壊後画像アップロード」ボタン
２５５  ＨＤ破壊後画像表示画面
２５６  ＨＤ破壊後画像アップロード日時表示エリア
２５７  「証明書発行」ボタン
２５８  「証明書発行せず」ボタン
２５９  「保存」ボタン
２６０  処分ＰＣ情報確認画面
２６１  依頼者ＩＤ入力エリア
２６２  依頼者パスワード入力エリア
２６３  「次へ」ボタン
２６４  処分ＰＣ選択エリア
２７０  処分ＰＣ・ＨＤ破壊結果確認画面
２７１  「証明書発行」ボタン
２７２  「証明書発行せず」ボタン
２７３  「終了」ボタン
【図１】
2018180836.tif 000003
【図２】
2018180836.tif 000004
【図３】
2018180836.tif 000005
【図４】
2018180836.tif 000006
【図５】
2018180836.tif 000007
【図６】
2018180836.tif 000008
【図７】
2018180836.tif 000009
【図８】
2018180836.tif 000010
【図９】
2018180836.tif 000011
【図１０】
2018180836.tif 000012
【図１１】
2018180836.tif 000013
【図１２】
2018180836.tif 000014
【図１３】
2018180836.tif 000015
【図１４】
2018180836.tif 000016
【図１５】
2018180836.tif 000017
【図１６】
2018180836.tif 000018
【図１７】
2018180836.tif 000019
【図１８】
2018180836.tif 000020
【図１９】
2018180836.tif 000021
【図２０】
2018180836.tif 000022
【図２１】
2018180836.tif 000023
【図２２】
2018180836.tif 000024
【図２３】
2018180836.tif 000025
【図２４】
2018180836.tif 000026